(57)【要約】【課題】大型のデミスター装置を運搬可能なサイズで提供することが可能になり、しかも、外気が汚染されている場所で使用する場合でも除湿装置の腐食を防止することができる多積式デミスター装置を備えた大容量圧縮空気の除湿装置を提供する。【解決手段】圧縮空気を送り込むように構成された冷却筒体１０を設ける。該冷却筒体１０の内部に冷却水を循環せしめて圧縮空気を冷却する冷却器２０を設ける。該冷却筒体１０内部で冷却された圧縮空気の気液を分離するデミスター装置３０をもうける。圧縮空気に接触して気液を分離する金属網製の除沫器３１を複数個形成する。該除沫器３１を積重ね自在に設置する多積式のデミスター装置３０を設ける。各除沫器３１をトラックの荷台に積載可能なサイズに形成し、複数の除沫器３１除沫器３１を積重ねて連結したデミスター装置３０の空気処理量が大容量の圧縮空気を処理するように構成する。【選択図】図１
2011020038.tif 000002
【特許請求の範囲】
【請求項１】
圧縮空気を送り込むように構成された冷却筒体と、該冷却筒体の内部に冷却水を循環せしめて圧縮空気を冷却する冷却器と、該冷却筒体内部で冷却された圧縮空気の気液を分離するデミスター装置と、を備えた冷却式の大容量除湿装置において、圧縮空気に接触して気液を分離する金属網製の除沫器を複数個形成し、該除沫器を積重ね自在に設置する多積式のデミスター装置を設け、各除沫器をトラックの荷台に積載可能なサイズに形成し、複数の除沫器を積重ねて連結したデミスター装置の空気処理量が大容量の圧縮空気を処理するように構成したことを特徴とする多積式デミスター装置を備えた大容量圧縮空気の除湿装置。
【請求項２】
前記デミステター装置は、冷却筒体の内部に固定され冷却した圧縮空気を取り入れる空気取入口が下部に形成されると共に、上部に気液が分離された後の圧縮空気を排出する空気排出口が形成された外筒体の内部に積み重ね自在に形成された複数の除沫器にて構成され、該除沫器は、通気性の内筒の内部に固定された金属網材と、該金属網材の下部に設けられ金属網材にて分離された液体を受け取るドレンパンとで設けられ、空気取入口から取り入れられた圧縮空気が各除沫器に分配されるように構成した請求項１記載の多積式デミスター装置を備えた大容量圧縮空気の除湿装置。
【請求項３】
貯水タンクの上方にアルカリ材を収納した中和器を配置し、中和器の上部からアルカリ材に水を噴射するシャワー装置が設置され、前記冷却筒体の内部に送風した酸化外気を中和せしめる外気中和器を構成し、該外気中和器を前記デミスター装置の下方に設置し、中和した外気をデミスター装置で気液分離するように設けた請求項１又は２記載の多積式デミスター装置を備えた大容量圧縮空気の除湿装置。
【発明の詳細な説明】
【技術分野】
【０００１】
本発明は、大型の圧縮空気の除湿装置として使用されるもので、特に、デミスター装置をモジュール化して積重ねることで、運搬が容易で設置環境に対応可能な多積式デミスター装置を備えた大容量圧縮空気の除湿装置に関する。
【背景技術】
【０００２】
大型プラントの大規模な除湿には、大型の除湿装置が必要とされる。この除湿装置には、圧縮空気が冷却されたときに生じる水分等を圧縮空気中から分離するために気液分離器として使用されるデミスター装置が装着されている。ところが、デミスター装置があまり大きすぎると製作場所から使用場所へ搬出するのに困難が生じる。すなわち除湿装置は、通常トラックで搬送されるが、トラックの積載量及び荷台の幅や長さに制限があり、デミスター装置を大型サイズにした場合、輸送が困難になる不都合があった。
【０００３】
一方、当発明者は先に、特許文献１により広い設置スペースも要せずに済む圧縮空気除湿用デミスター装置を提案している。このデミスター装置によると、内筒の内部に間隔を開けて気液を分離するデミスターを複数段に形成したもので、該デミスター間に、上部のデミスターにて分離された液体を受け取るドレンパンを設置すると共に、該ドレンパンにて下部のデミスターを通過した圧縮空気が上部のデミスターへの再通過を防止するように配置したものである。
【先行技術文献】
【特許文献】
【０００４】
【特許文献１】実用新案登録第３１４８９８０号公報
【発明の概要】
【発明が解決しようとする課題】
【０００５】
特許文献１に記載のデミスター装置によると、デミスターを複数段に形成することで、通常のデミスター装置に比べて直径がコンパクトになり、広い設置スペースを要しないといった利点がある。ところが、大容量の除湿装置に適用するには、このデミスター装置を大型にする必要があるので、直径や高さなど除湿装置自体のサイズが大型にならざるを得ず、輸送時に不都合が生じる場合もある。
【０００６】
しかも、大容量の除湿装置では、大量の外気を使用することから、亜流酸ガスや窒素酸化物などの汚染物質が混入するなど外気が汚染されている場所に設置されると、この汚染物質が除湿装置で凝縮されて装置自体に悪影響を与え、除湿装置が腐食するおそれもあった。このように、大容量の除湿装置には、運搬時の課題や設置環境の課題などが残されている。
【０００７】
そこで本発明は、上述の課題を解消すべく創出されたもので、大規模なプラント等に適したサイズのデミスター装置を運搬可能なサイズで提供することが可能になり、しかも、外気が汚染されている場所で使用する場合でも除湿装置の腐食を防止することができる多積式デミスター装置を備えた大容量圧縮空気の除湿装置の提供を目的とするものである。
【課題を解決するための手段】
【０００８】
上述の目的を達成すべく本発明における第１の手段は、圧縮空気を送り込むように構成された冷却筒体１０と、該冷却筒体１０の内部に冷却水を循環せしめて圧縮空気を冷却する冷却器２０と、該冷却筒体１０内部で冷却された圧縮空気の気液を分離するデミスター装置３０と、を備えた冷却式の大容量除湿装置において、圧縮空気に接触して気液を分離する除沫器３１を複数個形成し、該除沫器３１を積重ね自在に設置する多積式のデミスター装置３０を設け、各除沫器３１をトラックの荷台に積載可能なサイズに形成し、複数の除沫器３１を積重ねて連結したデミスター装置３０の空気処理量が大容量の圧縮空気を処理するように構成したことにある。
【０００９】
第２の手段において、前記デミステター装置３０は、冷却筒体１０の内部に固定され冷却した圧縮空気を取り入れる空気取入口１１Ａが下部に形成されると共に、上部に気液が分離された後の圧縮空気を排出する空気排出口１１Ｂが形成された外筒体１０の内部に積み重ね自在に形成された複数の除沫器３１にて構成され、該除沫器３１は、通気性の内筒３１Ａの内部に固定された金属網材３１Ｂと、該金属網材３１Ｂの下部に設けられ金属網材３１Ｂにて分離された液体を受け取るドレンパン３１Ｃとで設けられ、空気取入口１１Ａから取り入れられた圧縮空気が各除沫器３１に分配されるように構成している。
【００１０】
第３の手段は、貯水タンク４１の上方にアルカリ材を収納した中和器４２を配置し、中和器４２の上部からアルカリ材に水を噴射するシャワー装置４３が設置され、前記冷却筒体１０の内部に送風した酸化外気を中和せしめる外気中和器４０を構成し、該外気中和器４０を前記デミスター装置３０の下方に設置し、中和した外気をデミスター装置３０で気液分離するように設けたものである。
【発明の効果】
【００１１】
本発明の請求項１の如く、圧縮空気に接触して気液を分離する除沫器３１を複数個形成し、該除沫器３１を積重ね自在に設置する多積式のデミスター装置３０を設けた大容量の除湿装置において、各除沫器３１をトラックの荷台に積載可能なサイズに形成し、複数の除沫器３１を積重ねて連結したデミスター装置３０の空気処理量が大容量の圧縮空気を処理するように構成したことにより、除湿しようとするプラントが大規模になっても、大型プラントの空気処理量に適応した除湿装置の提供が可能になる。
【００１２】
しかも、デミスター装置３０は、トラックの荷台に積載可能な除沫器３１を積重ねて使用するものであるから、どのような場所でも大型のデミスター装置３０を運搬することが容易になる。したがって、これまでデミスター装置の大きさで除湿装置の容量が制限されていた場合でも、複数の除沫器３１を組合せることによって、従来よりも大容量の除湿装置を製造することが可能になった。
【００１３】
また、請求項２に記載のように、前記デミステター装置３０は、空気取入口１１Ａから取り入れられた圧縮空気が各除沫器３１に分配されるように設けられているので、除湿装置の圧縮空気の風量や風速の増加に対し、積層するデミスター５の数を増やすことで対応可能になる。
【００１４】
更に、請求項３に記載の如く、前記冷却筒体１０の内部に送風した酸化外気を中和せしめる外気中和器４０を構成し、中和した外気をデミスター装置３０で気液分離するように設けたことから、外気が汚染されている場所で使用する場合でも除湿装置の腐食等を防止することができる。
【図面の簡単な説明】
【００１５】
【図１】本発明の一実施例を示す正断面図である。
【図２】本発明の除沫器の一実施例を示す正断面図である。
【図３】本発明の一実施例を示す平断面図である。
【図４】本発明の他の実施例を示す正断面図である。
【発明を実施するための形態】
【００１６】
本発明によると、運搬に適したサイズのデミスター装置を運搬可能なサイズで提供することで、従来の除湿装置の容量を大容量に増大せしめることが可能になり、しかも、外気が汚染されている場所で使用する場合でも除湿装置の腐食を防止することができるなどといった目的を実現した。
【実施例１】
【００１７】
以下、本発明の一実施例を説明する。本発明の除湿装置の基本構成は、圧縮空気を送り込むように構成された冷却筒体１に、該冷却筒体１の内部に冷却水を循環せしめて圧縮空気を冷却する冷却器２０と、該冷却筒体１内部で冷却された圧縮空気の気液を分離するデミスター装置３０とを備えた除湿装置である（図１参照）。
【００１８】
この冷却筒体１は筒状部材で形成されたもので、冷却した圧縮空気を取り入れる空気取入口２と、気液が分離された後の圧縮空気を排出する空気排出口３が形成されている。この冷却筒体１の内部に外筒体１０が装着されており、この外筒体１０の外側に冷却器２０が設置され、外筒体１０の内がわにデミスター装置３０が設置されるものである（図３参照）。
【００１９】
図示の外筒体１０は、冷却筒体１の内部に外筒１１が固定されており、この外筒１１の内側に、圧縮空気の流れを規制する上部通路規制板１２と下部通路規制板１３とが設けられている（図１参照）。そして、これら上部通路規制板１２と下部通路規制板１３との間にデミスター装置３０を装着している。
【００２０】
冷却器２０は、外筒体１０の周囲に螺旋状に巻き付けられたパイプ上を成し、この冷却器２０に冷却水を循環させることで、冷却筒体１内に送風された圧縮空気を冷却するものである（図３参照）。
【００２１】
デミスター装置３０は、トラックの荷台に積載可能なサイズに形成した除沫器３１を複数個積み重ねることで、大容量の圧縮空気を処理するように構成したものである。すなわち、このデミステター装置３０は、外筒体１０の内部に積み重ね自在に設けた複数の除沫器３１にて構成されている（図２参照）。
【００２２】
この除沫器３１は、内筒３１Ａと、金属網材３１Ｂと、ドレンパン３１Ｃとで構成される。内筒３１Ａは、通気性の材質で形成されており、この内筒３１Ａの内部に金属網材３１Ｂが固定されている（図２参照）。この気液分離材３１Ｂは、ステンレス製の多層網で設けられたもので、この気液分離材３１Ｂに冷却された圧縮空気が接触すると気液が分離する。更に、金属網材３１Ｂの下部にドレンパン３１Ｃを設け、このドレンパン３１Ｃにより、金属網材３１Ｂで分離された液体を受け取るようにしている。
【００２３】
また、このドレンパン３１Ｃは、前記外筒１１の上部通路規制板１２や下部通路規制板１３と共に、空気取入口１１Ａから取り入れられた圧縮空気の流れを規制するもので、冷却された圧縮空気が各除沫器３１に分配されるように設けている（図１参照）。このとき、図示例の如く、内筒３１Ａ内部に一組の金属網材３１Ｂ及びドレンパン３１Ｃを設けることで、最も小型の除沫器３１を形成することができる（図２参照）。また、図示例のほか、二組以上の金属網材３１Ｂ及びドレンパン３１Ｃを連設した除沫器３１を形成し、これらを積重ねることも可能である（図示せず）。
【００２４】
図４は、本発明の他の実施例を示すもので、同図中、符号４０は、冷却筒体１０の内部に送風した酸化外気を中和せしめる外気中和器４０である。この外気中和器４０は、アルカリ材を使用して酸性の外気を中和せしめるものである。このとき、アルカリ材は、特に牡蠣ガラ等の貝殻を砕いたものなどが好適であるが、このアルカリ材は適宜に選択できる。図示例の外気中和器４０は、貯水タンク４１の上方に牡蠣ガラを収納した中和器４２を配置し、中和器４２の上部から牡蠣ガラに水を噴射するシャワー装置４３を設置している。そして、この外気中和器４０に冷却筒体１０の内部に送風した外気を通すことにより、中和した外気をデミスター装置３０で気液分離するように設けたものである。
【００２５】
尚、本発明の冷却筒体１０や冷却器２０の形状、あるいはデミスター装置３０、外気中和器４０等の構成などは図示例に限定されるものではなく、本発明の要旨を変更しない範囲において自由に変更できるものである。
【産業上の利用可能性】
【００２６】
本発明によると、運搬が困難な現場で使用するほか、大気が汚染しているような現場などでも大容量の除湿装置として使用することが可能である。
【符号の説明】
【００２７】
１  冷却筒体
２  空気取入口
３  空気排出口
１０  外筒体
１１  外筒
１２  上部通路規制板
１３  下部通路規制板
２０  冷却器
３０  デミスター装置
３１  除沫器
３１Ａ  内筒
３１Ｂ  金属網材
３１Ｃ  ドレンパン
４０  外気中和器
４１  貯水タンク
４２  中和器
４３  シャワー装置
【図１】
2011020038.tif 000003
【図２】
2011020038.tif 000004
【図３】
2011020038.tif 000005
【図４】
2011020038.tif 000006